(57)【要約】  【課題】睡眠時に長時間にわたり安定して使用できるうつぶせ寝用寝具を提供しようとする。  【解決手段】基床に前後方向に敷いて用いる寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部とを含んでなり、胴体部の前方端部と枕部とが連結されてなるうつぶせ寝用寝具である。複数の円筒体のうち両外側の円筒体の上端部位置より内側円筒体の上端部位置を股部方向に少許下げられ得る。また、枕部に並設した補助枕と、この補助枕から延び、胴体部に所定の間隙を有して並行に位置させた補助円筒体を備え得る。  【選択図】図２
2008212329.tif 000002
【特許請求の範囲】
【請求項１】
基床に前後方向に敷いて用いる寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部と、前記枕部から横方向に延出した補助枕と、この補助枕に取付け、前記胴体部から所定の間隙を有し、かつ胴体部と略同じ方向に延出した横向き寝用の補助円筒体と、からなり、
前記枕部の使用時の高さは前記胴体部の使用時の高さと同等又はそれ以上とされ、
前記胴体部の前方端部と前記枕部とが連結され、前記胴体部と横向き寝用の補助円筒体とが連結されてなるうつぶせ寝用寝具。
【請求項２】
前記枕部から延出した延出部を補助枕とし、この補助枕の高さを、枕部の高さより低くしたことを特徴とする請求項１に記載のうつぶせ寝用寝具。
【請求項３】
前記複数の円筒体のうち両外側の円筒体の上端部位置より、内側円筒体の上端部位置を股部方向に少許下げたことを特徴とする請求項１又は乃至２に記載のうつぶせ寝用寝具。
【請求項４】
前記枕部と前記胴体部、前記補助枕、前記横向き寝用の補助円筒体を一つの布団カバー内に収納することを特徴とする請求項１又は２に記載のうつぶせ寝用寝具。
【発明の詳細な説明】
【技術分野】
【０００１】
本発明は、うつぶせ寝、横向き寝に適した寝具に関する。
【背景技術】
【０００２】
うつぶせ寝は、聖路加病院の日野原先生等の医師によっても提唱されている（例えば、
非特許文献１参照）ように、健康によいとされている。
医師の説によれば、人間も元来は四つ足の動物と同じく内臓がうつぶせ寝時の向きにあることが安定した状態であり、睡眠時も、この状態をとること、即ち、うつぶせ寝が健康上好ましいとされる。うつぶせ寝を習慣づけることにより、ひとつには舌根沈下が防止される。また、誤嚥が防止される。舌根沈下は無呼吸症候群の原因であり、誤嚥は、糖尿病
などで免疫力の低下した人にとっては誤嚥性肺炎や気管支炎の原因となる。うつぶせ寝により唾液の分泌が促進され、睡眠時に雑菌を唾液とともに口外に排出することができる。また、うつぶせ寝は痰の排出を容易にする。
【０００３】
医師の説によれば、楽なうつぶせ寝のポイントは、頭を横向きにし、マットと身体の間に隙間が出来ないようにクッションで埋めることである。
【０００４】
従来の寝具においてもうつぶせ寝を目的にしたものがいくつか提案されているが、これらは特殊な用途に用いられるものが多く、一般人が日常的に用いるのに適したものではなかった。とくに、上記のような楽なうつぶせ寝を実現させるものではなかった。
【０００５】
うつぶせ寝用寝具としては、上面が開放されている互いに平行な多数の溝が刻まれた、比較的固いクッション材と、この比較的固いクッション材の上面に重ねられた柔らかいクッション材であって、その上面から固いクッション材の溝に至るように、多数の空気孔が
設けられたものからなる寝具が開示されている（例えば、特許文献１参照）が、これは幼児用のものである。また、上記のような楽なうつぶせ寝を実現させるものではない。
【０００６】
また、枕本体の中央部に使用者の顔面の輪郭形状にほぼ相応した形状の孔を設け、使用者の顔面周縁部を受ける、少なくとも枕本体の孔の周縁部が弾性材料で構成され、横方向には予定の範囲でほぼ水平に変位できるが縦方向には変位しないように枕本体を支持体に装着したことを特徴とする枕が開示されている（例えば、特許文献２参照）が、これは医療用のまくらであり一般日常の継続使用には不適である。
【０００７】
さらに、コの字型の骨格部分とクッション部分とから成り、骨格部分に、空気の出入り
が可能な穴または隙間を有し、額を当てる部分の手前に鼻を挿入するための穴もしくは隙間を有し、後頭部または額・頬部を支えるための凹みを有する枕が開示されている（例えば、特許文献３参照）が、この枕は使用時に寝返りなどで枕が頭部からずれた場合、睡眠状態で元の装着状態に戻すことが難しい。また、上記のような楽なうつぶせ寝を実現させるものではない。
【特許文献１】特開２００３−６１７９１号公報
【特許文献２】特開平１０−２７７１０２号公報
【特許文献３】特開平７−２７５０９８号公報
【非特許文献１】「うつぶせ寝健康法」監修：日野原  重明（聖路加国際病院理事長  同名誉院長）、著者：川島  みどり（日本赤十字看護大学教授）  丸山  征四郎（兵庫医科大学教授）、発行：ｋ k ベストセラーズ、発行日：２００５年１２月８日
【発明の開示】
【発明が解決しようとする課題】
【０００８】
日野原医師の著書「うつぶせ寝健康法」によれば、うつぶせ寝のポイントは、頭部を横向きにし、マットと身体の間に隙間ができないようにクッションで埋めることであるとされ、具体的には、枕やクッションの使い方とそのポジションにあるとされている。
【０００９】
著書によれば、うつぶせ寝によって生じる身体と寝具との隙間を調整するために、小道具として薄い枕、折ったり畳んだりして高さを調整した夏蒲団、おでこや顎をのせる小さな枕などに工夫を凝らしながら、うつぶせ寝を自分の身体に覚えさせる努力を重ねることがうつぶせ寝に成功する秘訣であるとされ、著者はその結果３ヶ月をかけて体得されたとされている。
【００１０】
しかし、複数の小道具を身体の最適な位置に配置してうつぶせ寝を実現しても、人は寝返りもし、就眠中でも身体が動く。それに合わせて、小道具類の再配置作業は睡眠の妨げになる。安心して朝まで睡眠に専念できるうつぶせ寝のための専用の寝具の出現が待たれる。
【００１１】
また、うつぶせ寝をすると、人によっては首だけでなく肩や手足などの身体の各部が痛んだりする。日野原医師もその著書のなかで、あおむけに寝ていた人がうつぶせ寝に慣れるまでにはちょっと時間がかかるかもしれません。また、首の筋が伸びにくい人は最初うつぶせ寝が苦しいと感じる場合もあるでしょうと著書の中で認めている。
【００１２】
本発明は、上記事実に鑑みてされたものであり、その目的は、うつぶせ寝のために特別の長期の訓練や、首を曲げるなどの苦行をすることもなく、また、うつぶせ寝と横向き寝ができ、誰でもが簡易に安心して使用することができるうつぶせ寝用寝具を提供することである。
【００１３】
本発明の他の目的は、うつぶせ寝を行うと、身体と基床との間に腕等が介在することにより必然的に生じる隙間を、何の小道具も要せず、手足をうつぶせ寝のための専用の寝具の上から基床に向けて開放することで解決し、また、うつぶせ寝から横向き寝に自然に移行もできるうつぶせ寝用寝具を提供することである。
【課題を解決するための手段】
【００１４】
本発明の要旨とするところは、基床に前後方向に敷いて用いる寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部と、前記枕部から横方向に延出した補助枕と、この補助枕に取付け、前記胴体部から所定の間隙を有し、かつ胴体部と略同じ方向に延出した横向き寝用の補助円筒体と、からなり、前記枕部の使用時の高さは前記胴体部の使用時の高さと同等又はそれ以上とされ、前記胴体部の前方端部と前記枕部とが連結され、前記胴体部と横向き寝用の補助円筒体とが連結されてなるうつぶせ寝用寝具であることにある。
【００１５】
前記枕部から延出した延出部を補助枕とし、この補助枕の高さを、枕部の高さより低くしたことを特徴とする。
【００１６】
前記複数の円筒体のうち両外側の円筒体の上端部位置より、内側円筒体の上端部位置を股部方向に少許下げたことを特徴とする。
【００１７】
前記枕部と前記胴体部、前記補助枕、前記横向き寝用の補助円筒体を一つの布団カバー内に収納することを特徴とする。
【発明の効果】
【００１８】
本発明では、うつぶせ寝用の枕部と補助枕とを直接連結して両枕の間の間隙をなくしたので、頭部の移行が可能になり、寝返りがスムースになり、寝返りが中断されることがなくなった。
【００１９】
本発明は、枕部の高さよりも補助枕の高さを低くしたことにより、枕部上に載置されたうつぶせ状態の頭部が、より低い補助枕へ寝返りでよりスムースに移行できるようになった。
【００２０】
本発明は、補助円筒体と補助枕とは着脱自在な連結手段を用い取り外せるようにしたので、健常者にとっても健康によいとされるうつぶせ寝用寝具を提供できるようになった。
【００２１】
また、補助円筒体と補助枕、補助円筒体と胴体部との間隙を、上下2箇所でそれぞれの着脱自在な連結手段の位置を調整することで、適切な調節が可能になった。
【００２２】
人は、亀が甲羅から手足を出し休んでいるように、うつぶせ寝状態で人は頭部から股部までが基床より一定の高さに支持される。両手、両足はこの寝具から左右に出て基床上に位置することにより、身体と寝具の間に間隙は発生せず、体重による腕等への荷重はなくなり、手足が楽になる効果がある。
【００２３】
この寝具では、うつぶせ寝状態の使用者が僅かに体重を左右に重心移動しただけで、身体はすぐに反応し傾斜状態になる。また、重心移動をしなくても、左又は右の手足の位置を少し変えるだけで、左又は右の肩の位置が上り又は下り、また腰部の左右への傾斜を生じ、身体全体を傾斜状態にすることができる。
【００２４】
その結果、顔面部も、左右に自然に傾斜し、もともと基床より高い位置にある鼻孔や口の近傍にさらなる空間が形成され、鼻呼吸、口呼吸の吸排気は円滑になり、首を無理に曲げなくても自然に呼吸がしやすくなる効果がある。      
【００２５】
本発明のうつぶせ寝用寝具により、人はイビキ、睡眠時無呼吸症候群、酸素不足による脳卒中などあお向き寝の弊害等から解放され、またセキが軽くなり、タンが排出され易くなり、血行が改善され、睡眠の質を上げられるなど、健康によいとされるうつぶせ寝が実現できる効果がある。
【００２６】
この寝具では、胴体部と身体に敷かれる補助円筒体とが、予め、肩巾や体巾よりやや狭い所定の間隙に保たれ、略並行に連結されているので、仰向き寝になることを防ぎつつ横向き寝に誘導する効果がある。
【００２７】
人は補助枕を用い、胴体部及び補助円筒体との間に、布団カバーにより形成された略Ｕ字型の間隙に柔らかく挟まれ、横向き寝の状態できつくもなく緩くもなく安定して就寝できる。
【００２８】
胴体部と補助円筒体と、その間の着脱自在な連結手段も守るように、布団カバーによる滑らかな２枚の布によってＵ字型の溝が形成されている。この略Ｕ字型の溝によって寝返りがスムースにでき、身体に大きな拘束力が作用することなく横向き寝状態の身体を柔らかく安定維持することができる。
【００２９】
寝返りをうって、例えば、胴体部が身体の前で抱き枕の状態なら、補助円筒体は背中側の支えとなって横向き寝の状態を維持する。また、寝返りをうって、補助円筒体が身体の前にあれば、胴体部が背中側で横向き寝の状態を維持する。
【００３０】
うつぶせ寝用寝具が、うつぶせ寝と横向き寝の二つの機能を効果的に果たすことができるのは、寝具の各部分を一体化しているうつぶせ寝用寝具の専用の一つの布団カバーによる滑らかな使用感に負うところが大きい。
【００３１】
うつぶせ寝による鼻汁、涎は、直接寝具を汚す。だが、布団カバーは洗濯でき清潔を守ることができる。
【００３２】
うつぶせ寝から横向き寝へ、横向き寝から横向き寝へ、またうつぶせ寝へと往復寝返りが、布団カバーの滑らかな表面により可能になる。また、長大で嵩張る寝具の保管上でも優れた効果を生む。
【発明を実施するための最良の形態】
【００３３】
本発明のうつぶせ寝用寝具の態様について説明する。なお、本明細書においては、各図にわたって記される同じ符号は同一又は同様の部材やものを示す。図１、図２、図３において、本発明のうつぶせ寝用寝具１は、基床Ｂに前後方向に敷いて用いる寝具であって、前方に位置し人１００の頭部１０１及び顔面部の一部を載置するクッション性を有する枕部３と、人の顔面部から股部１０３にかけた部分に前後方向に互いに並行に、かつ互いに密着して設置される束ねられたクッション性を有する複数の円筒体４から成る胴体部５と、枕部３から横方向に延出した補助枕６と、この補助枕６に取付け、胴体部５から所定の間隙７を有し、かつ胴体部５と略同じ方向に延出した横向き寝用の補助円筒体８と、からなり、枕部３の使用時の高さは胴体部５の使用時の高さと同等又はそれ以上とされ、胴体部５の前方端部９と枕部３とが連結され、胴体部５と横向き寝用の補助円筒体８とが連結されてなるうつぶせ寝用寝具１である。
【００３４】
枕部３は、使用時の高さは胴体部５の高さと同等又はそれ以上とされる。これは、就寝時に頭部１０１が他の身体よりも低くなることを生理的な理由から避けるためである。  
【００３５】
人１００のおでこや、顔面部の目のあたりを直接支持するため、枕部３は、例えば、柔らかな綿や低反発素材などを材質とするのが好ましい。それらを、膨張をおさえながら、枕の型に型崩れしないように高密度に形成し、布等で枕に仕立てられる。枕部３の大きさは、例えば、平均的な成人男子用の場合、高さは２０cm、前後巾は25ｃｍ、左右巾は４５ｃｍであることが好ましい。
【００３６】
胴体部５の役割は、身体の顔面部から股部１０３までが基床Ｂより一定の高さで柔らかく維持できること、及び胴体部５の左右巾が一定の巾に保持できることが求められる。胴体部５の大きさは、例えば、平均的な成人男子用の場合、高さは15ｃｍ、前後巾は８０ｃｍ、左右巾は使用する人１００の胴部巾と略同じ巾の35ｃｍであることが好ましい。
【００３７】
胴体部５の前方端部９と、枕部３とは直接接合されてもよいが、図1、図２に示すように可撓性のシート状の中間部材１０を介して着脱自在に連結されていることが不使用時の収納が容易となるうえでも好ましい。
【００３８】
図２においては、可撓性の中間部材１０は長方形の布地からなるが、胴体部５の前方端部９と、枕部３とを連結する可撓性の中間部材１０であれば布地に限定されず、紐等の部材からなるものであってもよい。
【００３９】
また、図２においては、胴体部５の前方端部９と布地の後方端部１２とが面ファスナーにより連結されている。前方端部９には面ファスナーのオス１３が、布地１１の後方端部１２には面ファスナーのメス１４が配される。
【００４０】
枕部３及び補助枕６の前方下縁１５が布地の前端１６と縫い目を介して縫合により結合している。この結合はファスナーを介するものであってもよい。枕部３と補助枕６と布地との結合は、面ファスナー、ホックあるいはボタン等の着脱自在な結合手段によるものであってもよい。
【００４１】
図1、図２、図４、に示すように、複数の円筒体４のうち両外側の円筒体４の上端部位置１８より内側の円筒体４の上端部位置１８を股部１０３方向に少許下げることで、胴体部５と枕部３とが連結されたとき、両者の間には少許の空隙１９を生じさせることができる。
【００４２】
また胴体部５の後方端部１２である内側円筒体の後方端部１２が、両足で挟まれるように股部１０３の間に安定して位置することは、胴体部５と人１００とのバランス上好ましい。
【００４３】
この少許の空隙１９は、枕部３と胴体部５とが連結されたとき、鼻孔、口の近傍に空隙１９を形成し、呼吸時の給排気を円滑にする。
【００４４】
図１、図2、図4に示すように、人１００の顔面部から股部１０３にかけた部分に前後方向に互いに並行に、かつ互いに密着して設置される束ねられたクッション性を有する複数の円筒体４から胴体部５は構成されている。
【００４５】
複数の円筒体４は前後方向に互いに並行に並べられ、かつ、隣り合う円筒体４の側部２０が縫い目を介して縫い合により密着されている。円筒体４の側部２０の結合は接着剤によるものでもよい。
【００４６】
円筒体４は、例えば、布団綿の膨張を極力圧縮しつつ、幾重にも巻き、高密度の円筒形状に形成し、布等で仕立てて円筒体４としたものである。
【００４７】
また、円筒体４は、例えば、じゅうたん、バスマット、毛布などの布体や低反発素材を高密度に筒状に巻き取った巻き体であってもよい。円筒体４の大きさは、例えば、長さは70ｃｍ、直径は15ｃｍ、であることが好ましい。
【００４８】
図５に示すのは、図４に示した、布で束ねられた複数の円筒体４から成る胴体部５を、基床Ｂ上で横一線に切断した断面図である。胴体部５は、例えば、蒲鉾形状をしている。
【００４９】
図４に示すように、複数の円筒体４は布で巻かれることで、更に高密度に加工され型崩れしない一体化した胴体部５に仕上げられる。
【００５０】
図３は、うつぶせ寝用寝具を用いて、うつぶせに就寝している状態を示す図である。うつぶせ寝をしているときに、枕部３及び胴体部５のようなクッション性のある物体が、人１００の頭部１０１から股部１０３にわたって敷かれた状態にあることは、睡眠の安定にとって重要である。このことは、前述のように医師によっても提唱されている。
【００５１】
図３に示すように、クッション性を保ちながら、型崩れしにくい材質で高密度に形成された複数の円筒体４から成る胴体部５は、高さや左右巾も一定に保持できている。高さが保たれ、所定の左右巾の胴体部５により人１００と寝具１の間に手等の介在できる隙間の余地はなく、手は基床Ｂ上で安定している。
【００５２】
このような胴体部５によって、うつぶせ状態の人１００が僅かに体重を左右に重心移動しただけで身体はすぐ反応し傾斜状態になる。また、重心移動をしなくても、左又は右の手足の位置を変えるだけで、直ちに左又は右の肩の位置が上又は下に変わり、また腰部の傾斜を生じ、身体全体を傾斜状態にすることが可能になる。
【００５３】
もしも、単数の円筒体４や、柔らかいスポンジのような複数の円筒体４から胴体部５が形成されれば、バランスは安定せず、身体の重さに負けて胴体部５の高さは低くなり、その結果、基床Ｂ上の手足は窮屈となり、うつぶせ寝の継続もできにくくなる。
【００５４】
頭部101が枕部３からずれたりはずれたりした場合でも、胴体部５が位置ガイドとなって意識的あるいは半ば無意識的に身体を動かして頭部１０１の位置をもとにもどすことが容易になる。また、股部１０３が胴体部５からはずれたりずれたりした場合でも、上記と同様に、身体を動かして股部１０３の位置をもとにもどすことが容易になる。
【００５５】
図6に示すのは、うつぶせ寝用の枕部３と補助枕６との間の間隙７をなくし、本発明の両枕を直接連結して就寝に用いた状態での枕部３と補助枕６および頭部１０１とを横一線に切断した断面図である。
【００５６】
枕部３と補助枕６とは高低差があり、枕部３でうつぶせ状態であった頭部１０１が、寝返りで補助枕６にスムースに移行し、約４５度の傾斜で補助枕６上に載置されている。傾斜している理由は、補助円筒体８が横向き寝の状態の身体に敷かれて背後部をささえているからである。
【００５７】
図７に示すのは、うつぶせ寝用寝具１を用いて、横向きに就寝している状態を示す斜視図である。胴体部５が抱き枕状態で、補助円筒体８が横向き寝の状態の身体に敷かれて背後部をささえている。
【００５８】
図２においては、枕部２から横方向に延出した横向き寝用の補助枕６と補助円筒体８とがホックにより連結されている。補助枕６にはホックのメス２３が配され、補助円筒体８にはホックのオス２２が配され、オス２２の尖った先が直接身体に当たらぬように配慮した。
【００５９】
図２の補助円筒体８にはホックのオス２２の数は、例えば、３個と少なく配され、図２の補助枕６にはホックのメス２３の数は、例えば６個とより多く配され、メス２３の選択により助円筒体８と補助枕６との結合位置を変ることができる。
【００６０】
これにより、補助円筒体８と胴体部５との間の間隙７を使用する人のサイズに合わせて調整できる。補助円筒体８と補助枕６との連結は面ファスナー、ファスナー、紐等の着脱自在な連結手段を介して行われてもよい。
【００６１】
図２、図4、図８に示すように、補助円筒体８の後方端部１２と胴体部５の後方端部１２の連結手段となる帯状の布紐２４は、補助円筒体８と胴体部５を略並行に保つものであればよく、帯状の布紐２４にこだわらない。
【００６２】
図２、図８に示す補助円筒体８側の帯状の布紐２４には面ファスナーのオス１３が、図２、図４に示す、胴体部５側の帯状の布紐２４には面ファスナーのメス１４が配される。これにより補助円筒体８と胴体部５の後方端部１２の間隙７を使用する人のサイズに合わせて調整できる。
【００６３】
補助円筒体８は、身体に長く敷かれる状態が続くので、胴体部５を構成する円筒体４より比較的柔らかいクッション性の部材からなることが好ましい。図８に示すように、補助円筒体８の形状は、肩部に対応する部分の直径はやや大きく、腰部に対応する部分の直径はやや細くされている。
【００６４】
補助円筒体８の直径は、例えば、肩部では１５ｃｍ、腰部では１０ｃｍであることが好ましい。長さは、横向き寝の状態で前方端部９が肩部から、後方端部１２が人の腰の近傍に達するほどの、例えば、７０ｃｍであることが好ましい。
【００６５】
図6に示すように、補助枕６の高さは、枕部より、約半分以下である。幅は、枕部より広く平らである。愛用している枕が条件に合えば使用できる。
【００６６】
うつぶせ寝用寝具１を着脱自在な連結手段で組み立てたまま、一括まとめて収納し使用する専用の一つの布団カバーが、うつぶせ寝用寝具１の全てを包込みカバーするので、連結手段の緩みも発生しにくく、布団カバーがうつぶせ寝用寝具の最終的な仕上げの使用するための実用手段となる。
【００６７】
うつぶせ寝による鼻汁、よだれは、直接寝具を汚す。だが、布団カバーは洗濯でき、清潔を守ることができる。
【００６８】
また長大で重いうつぶせ寝用寝具は、着脱自在な連結手段で連結されている各部分の緩みが発生しやすい。だが、布団カバーによりうつぶせ寝用寝具の全ての連結部分がカバーにより守られ、布団カバー自体が更に強い連結手段となり、うつぶせ寝用寝具１の本来の機能をより一層高めている。
【００６９】
枕部3、胴体部5、補助枕６、補助円筒体８などうつぶせ寝用寝具全体を直ちに使用できる状態にして、専用の一つの布団カバー２５内に収納して使用する。うつぶせ寝用寝具1は、使用や保管の効率を上げる専用の布団カバー２５内に常時収納されている。図９は、収納口２６のある下方から布団カバー２５を見た下面図である。とじ部は、重量により接着力の増す面ファスナーにより閉じられる。
【００７０】
その他、本発明は、主旨を逸脱しない範囲で当業者の知識に基づき種々なる改良、修正、変更を加えた態様で実施できるものである。
【図面の簡単な説明】
【００７１】
【図１】本発明のうつぶせ寝用寝具の側面図である。
【図２】同うつぶせ寝用寝具の上面図である。
【図３】同うつぶせ寝用寝具を用いてうつぶせに就寝している状態を示す図である。
【図４】同うつぶせ寝用寝具の胴体部を示す上面図である。
【図５】同うつぶせ寝用寝具の胴体部を横一線に切断した断面図である。
【図６】同うつぶせ寝用寝具に人が用いた状態で、枕部と補助枕部分を横一線に切断した断面図である。
【図７】人が横向きに就寝している状態を示すうつぶせ寝用寝具の斜視図である。
【図８】同うつぶせ寝用寝具の補助円筒体を示す上面図である。
【図９】同うつぶせ寝用寝具の枕部、胴体部、補助枕、補助円筒体を使用できる状態で布団カバー内に収納し、収納口がある下方から見た専用布団カバーの下面図である。
【符号の説明】
【００７２】
うつぶせ寝用寝具
Ｂ：基床  
３、枕部
４、円筒体
５、胴体部
６、補助枕
７、間隙
８、補助円筒体
９、前方端部
１０、可撓性の中間部材
１１、長方形の布地
１２、後方端部
１３、面ファスナーのオス
１４、面ファスナーのメス
１５、前方下縁
１６、布地の前端縁
１８、上端部位置      
１９、空隙
２０、円筒体の側部
２２、ホックのオス
２３、ホックのメス
２４、帯状の布紐
２５、専用の布団カバー
２６、カバーの収納口
１００：人
１０１：頭部
１０３：股部
【図１】
2008212329.tif 000003
【図２】
2008212329.tif 000004
【図３】
2008212329.tif 000005
【図４】
2008212329.tif 000006
【図５】
2008212329.tif 000007
【図６】
2008212329.tif 000008
【図７】
2008212329.tif 000009
【図８】
2008212329.tif 000010
【図９】
2008212329.tif 000011